(57)【要約】布製シート材から成る細長のシェル（１１）と複数のフレームリブ（１６）を有する折りたたみ式自動立設型テント（１０）。テント（１０）には、その内部空間をシェル（１１）のフレームリブ（１６）で画成する立設形態と、シェル（１１）を圧縮し、フレームを手で操作してテント（１０）が携帯用バッグ（２５）に収められるようにする崩壊及び折りたたみ形態が有る。シェル（１１）には床パネル（１２）と、それに接合する少なくとも一つの上部パネルが有り、床パネル（１２）は地面に固定されるようになっている。上部パネル（１３）には複数のスリーブ（１７）が付随し、これ等のスリーブ（１７）は床パネル（１２）の片側で上部パネル（１３）と床パネル（１２）が隣り合う側に近接する位置から床パネル（１２）の反対側の位置に延びている。フレームリブ（１６）はスリーブ（１７）に嵌入されるようになっており、端部で固定されて弓形形状に曲がる。リブ（１６）は弾性スプリング状材料から成り、布製シート材のシェル（１１）に圧接して上記内部空間を形成する。フレームリブ（１６）は互いに離間する立設形態から、互いに近接して、横断面の径が立設形態の径に実質的に等しい、実質的に平らな配置となる崩壊形態に移動自在である。リブ（１６）は手操作でループ状になって、崩壊及び折りたたみ形態での径を小さくできるようになっている。平らな崩壊及び折りたたみ形態となったテントが携帯用バッグ（２５）に収められるようになっている。
2004503701.tif 000002
【特許請求の範囲】
【請求項１】
布製シート材から成る細長のシェルと複数のフレームリブを有する折りたたみ式自動立設型テントであって、このテントには、テントの内部空間を上記シェルの上記フレームリブが画成する立設形態と、シェルが圧縮され、フレームを手で操作してテントが携帯用バッグに収納されるようにする崩壊及び折りたたみ形態が有り、上記シェルには床パネルと、それに接合する少なくとも一つの上部パネルが有り、該床パネルには地面に固定される固定手段が有り、上記上部パネル少なくとも一つには複数のスリーブが付随し、上記床パネルの片側で上部パネルと床パネルが隣り合う側に近接する複数の位置から床パネルの反対側の位置に上記複数のスリーブが延び、これ等のスリーブに上記フレームリブが夫々嵌入され、且つそれ等の端部で固定されて弓形形状に曲がるようになっており、また上記リブは弾性スプリング状材料から成り、布製シート材の上記シェルに圧接して上記内部空間を形成するようになっており、また上記フレームリブはそれ等が互いに離間する上記立設形態から、それ等が互いに近接して、横断面の径がこの立設形態の径に実質的に等しい、実質的に平らな配置となる上記崩壊形態に移動自在であり、また上記リブは手操作でループ状配列をなせるようになっており、それにより上記崩壊及び折りたたみ形態での径を小さくするようになっており、平らな折りたたみ形態となったテントが保管携帯用バッグに収納されるようになっている構成のテント。
【請求項２】
前記シェルを、比較的平らで、地面に固定されるシェルの一部と一体的に組み立てることにより、前記床パネルと上部パネルが形成される構成の請求項１に記載の折りたたみ式テント。
【請求項３】
シェルが地面レベルからシェルの上部に亘って地面レベルに延びている構成の請求項２に記載の折りたたみ式テント。
【請求項４】
前記崩壊及び折りたたみ形態において、リブの端部がおおよそ同一方向に向くようにリブが一回ループ化され、リブが締め帯手段によりリブの偏倚に逆らって保持される構成の請求項１に記載の折りたたみ式テント。
【請求項５】
前記崩壊及び折りたたみ形態にあるとき前記リブの端部が布製シート材の下に有って、見えない構成の請求項４に記載の折りたたみ式テント。
【請求項６】
前記リブが少なくとも一回半ループ化される構成の請求項５に記載の折りたたみ式テント。
【請求項７】
崩壊及び折りたたみ形態で前記リブ同士を固定するために固定手段が用いられる構成の請求項４に記載の折りたたみ式テント。
【請求項８】
前記リブが、必要な場合に交換可能なように前記スリーブから取り外し可能であると共に、前記上部パネルと床部パネルが隣り合う側に近接して設けられたタグに固定される構成の請求項１に記載の折りたたみ式テント。
【請求項９】
前記リブが、通し穴を通して受容されることにより固定される構成の請求項８に記載の折りたたみ式テント。
【請求項１０】
ペグ打ちによりテントを地面に固定するのにタグが用いられる構成の請求項９に記載の折りたたみ式テント。
【請求項１１】
ペグが、前記リブに用いられる通し穴とは異なる通し穴を通して用いられる構成の請求項１０に記載の折りたたみ式テント。
【請求項１２】
テントが一つの中央上部パネルと、対向して位置付けられる端部パネル二つを有して細長である構成の請求項１に記載の折りたたみ式テント。
【請求項１３】
前記端部パネルに開口が夫々設けられる構成の請求項１２に記載の折りたたみ式テント。
【請求項１４】
前記リブが対で形成され、一対のリブ、即ち一対のスリーブがテントの高さの約半分の位置に二つの交差点を有し、各リブの上部が上記対の他のリブの両端の実質的に上方に位置付けられ、リブ及びスリーブの近接対が前記立設形態において互いに引き離し合い、スリーブ内のリブの偏倚又はバネ作用により布製シート材に緊縮面を与える構成の請求項１に記載の折りたたみ式テント。
【請求項１５】
前記リブの交差点がテントの頂点に位置付けられる構成の請求項１４に記載の折りたたみ式テント。
【請求項１６】
各リブ対に交差点の無い構成の請求項１に記載の折りたたみ式テント。
【請求項１７】
前記リブが対で取り付けられず、互いに近接するか、反対方向に向いて取り付けられる構成の請求項１に記載の折りたたみ式テント。
【請求項１８】
前記携帯用バッグが実質的に平らな卵形形状のバッグである構成の請求項１に記載の折りたたみ式テント。
【発明の詳細な説明】
【０００１】
【産業上の利用分野】
本発明はテント、特にフレームが布製外被に一体に取り付けられ、自動立設でき、崩壊自在であり、容易に折りたため、携帯用バッグに収められるテントに関する。
【０００２】
【従来の技術】
自動立設型テントは、多数の線材ループを布製外被のスリーブに縫い込んだものをフレームとして用いるテントで、崩壊状態から解放されるときテントが線材ループのバネ作用により自動的にテント形状になるものである。
だが、上記のような従来型テントは、背負い用又は肩掛け用のバッグにそう容易に収められるものでは無いことが分かった。
従って、フレームを容易に平らな崩壊状態に折りたためるようにし、背負い又は肩掛けに適した携帯用バッグに容易に収められる折りたたみ式自動立設型テントが有れば良いことが分かる。
【０００３】
【発明が解決しようとする課題】
本発明の目的は、上記の不利を克服又は改善する折りたたみ式自動立設型テント及びその折りたたみ方法、少なくとも既知の折りたたみ式自動立設型テント及びその使用方法の代替を提供することにある。
【０００４】
【課題を解決するための手段】
本発明の一側面において、布製シート材から成る細長のシェルと複数のフレームリブ（骨組み肋材）を有する折りたたみ式自動立設型テントであって、このテントには、テントの内部空間を上記シェルの上記フレームリブが画成する立設形態と、シェルが圧縮され、フレームを手で操作してテントが携帯用バッグに収納されるようにする崩壊及び折りたたみ形態が有り、上記シェルには床パネル（区画）と、それに接合する少なくとも一つの上部パネル（区画）が有り、該床パネルには地面に固定される固定手段が有り、上記上部パネルの少なくとも一つには複数のスリーブ（袖部）が付随し、上記床パネルの片側で上部パネルと床パネルが隣り合う側に近接する複数の位置から床パネルの反対側の位置に上記複数のスリーブが延び、これ等のスリーブに上記フレームリブが夫々嵌入され、且つそれ等の端部で固定されて弓形形状に曲がるようになっており、また上記リブは弾性スプリング状材料から成り、布製シート材の上記シェルに圧接して上記内部空間を形成するようになっており、また上記フレームリブはそれ等が互いに離間する上記立設形態から、それ等が互いに近接して、横断面の径がこの立設形態の径に実質的に等しい、実質的に平らな配置となる上記崩壊形態に移動自在であり、また上記リブは手操作でループ状配列を取れるようになっており、それにより上記崩壊及び折りたたみ形態での径を小さくするようになっており、平らな折りたたみ形態となったテントが携帯用バッグに収納されるようになっている構成のテントがここに開示される。
前記シェルを、比較的平らで、地面に固定されるシェルの一部と一体的に組み立てることにより、前記床パネルと上部パネルが形成されるようにする。また、シェルが地面レベルからシェルの上部に亘って地面レベルに延びるようにする。
前記崩壊及び折りたたみ形態において、リブの端部がおおよそ同一方向に向くようにリブが一回ループ化され、リブが締め帯手段によりリブの偏倚に逆らって保持されるようにすると良い。また、この形態にあるときリブの端部が布製シート材の下に有って、見えないようにすると良い。本発明の他の形式では、前記リブが一回半又はそれ以上ループ化されるようにすると良い。
本発明の好ましい実施態様において、前記携帯用バッグは、二つの側部を接合した実質的に卵形のバッグである。バッグのこれ等二つの側部を卵形リブで補強するようにすると良い。携帯用バッグは、手持ち取っ手を少なくとも一つ備える。
本発明の好ましい実施態様によれば、前記リブは、必要な場合に交換可能なように前記スリーブから取り外し可能であると共に、前記上部パネルと床部パネルが隣り合う側に近接して設けられたタグに固定される。この固定は、リブが通し穴を通して受容されることにより固定されるようにすると良い。また、ペグ打ちによりテントを地面に固定するのにタグを用いると良い。前記リブに用いられる通し穴とは異なる通し穴を通してペグを用いると良い。
好ましい実施態様において、テントは一つの中央上部パネルと、対向して位置付けられる端部パネル二つを有して縦長である。これ等端部パネルに開口が夫々設けられるようにすると良い。
この好ましい実施態様において、リブが対で形成され、一対のリブ、即ち一対のスリーブがテントの高さの約半分の位置に二つの交差点を有し、各リブの上部が上記対の他のリブの両端の実質的に上方に位置付けられるようにする。リブ及びスリーブの近接対が前記立設形態において互いに引き離し合い、スリーブ内のリブの偏倚又はバネ作用により布製シート材に緊縮面を与えるようにする。
この優先実施態様は、リブの交差点がテントの頂点に位置付けられようにしたり、各リブ対に交差点の無いようにしたり、リブが対で取り付けられず、互いに近接するか、反対方向に向いて取り付けられるようにする等の変更が可能である。
【０００５】
【実施態様】
好ましい実施例の自動立設型折りたたみ式テントを示す図１〜４には、布製シート材から成る細長いシェル１１を備えるテント１０が示されている。シェル１１は一つの床パネル１２と、一つの中央上部パネル１３と、二つの端部上部パネル１４、１５とを有する。多数の曲がりリブ１６が、中央上部パネル１３の布製シート材に縫い込まれた対応するスリーブ（袖部）１７に受容されている。これ等のリブ１６は弓形形状に曲げられ、シェル１６の中央上部パネル１３と二つの端部上部パネル１４を床パネル１２から離間するテント内部空間を画成するのに用いられる。リブ１６は弾性バネ状材料から成るようにすると良い。
図１〜４に示す実施態様では、リブ１６は十字形の三つの対で形成されている。各対のリブ１６はテント１０の高さの約半分のところで交差し、リブ１６の頂部が各対の他のリブ１６の端部の略上方に位置するようにしてある。リブ１６は、シェル１１の上方パネル１３、１４、１５に縫い込まれたスリーブ１７に受容されている。
リブ１６の端部１８は、床パネル１２に位置付けられたタグ２０に設けられた通し穴１９に受容される。タグ２０はリブ１６の端部１８を受容すると共に、テント１０をペグ打ちにて地面に固定するのに用いられる。本例では、タグ２０に設けた他の通し穴２１がペグを受容する。
リブが締め帯手段によりリブの偏倚に逆らって保持され、リブ１６は図１に示すように垂直に対して角度をもってスリーブ１８内に形付けられているので、リブ１６のバネ状性質がリブ１６をして図１に示す離間配置を取らせる。隣接するリブ１６の対が立設形態時に互いに離間するように引き合い、シェル１１の布製シート材に緊張面を与える。
【０００６】
図１〜４に見られるように本例のテント１０を不使用時に収納する場合、リブ１６はリブ１６の偏倚に逆らって共に崩壊され、端部パネル１４、１５にこれ等を一緒にしようとする力が加わり、中央パネル１３が潰れる。これにより、図５に見られるようにリブ１６同士が一箇所に纏められる。リブ１６が一旦纏められたら、リブ１６の端部１８を掴み、手で曲げ、リブ１６を交差させ、端部１８が概略同一方向を向くようにしてループ２３を作る手操作が可能になる。リブ１６をループ化して曲げ込むことにより、崩壊されたテントの径の大きさを確実に小さくすることができる。径が一旦適宜の大きさに小さくなったら、締め帯２４をリブ１６のループ２３の周りに密着して巻き、これを固定する。締め帯は別途用意のものでも、テント１０の本体に取り付けたものでも良い。また、その際、リブ１６の端部１８をシェル１１本体の下に包み込むようにしても良い。
崩壊して折りたたんだテント１０は図７に見られるように、携帯用バッグ２５に直ちに収容することができる。携帯用バッグ２５は二つの側部２６を接合した、実質的に平らな卵形の袋である。二つの側部接合部を卵形ビード２７で強化するようにすると良い。また、携帯用バッグ２５に手持ち用取手２８やジッパーファスナーを設けるようにすると良い。
上記手順の逆を行ってテント１０を設置する場合、テント１０をバッグ２５から取り出し、締め帯２４を外す。リブ１６の偏倚がテント１０を図１に示すような現寸までバネ作動させる。次いで、テント１０はペグ打ちで地面に固定され、フライシート３０と張り綱３１も用いられる。
テント１０は立設が極めて簡単で、崩壊及び折りたたみも極めて簡単であることが分かる。また、テント１０は携帯用バッグ２５への収納に極めて適し、保管や運搬が容易であることも分かる。
【０００７】
図６に見られるようにテント１０をより大きくしたテント１０の別の実施態様では、不使用時にテント１０を収納する場合、リブ１６はリブ１６の偏倚に逆らって共に崩壊され、端部パネル１４、１５にこれ等を一緒にしようとする力が加わり、中央パネル１３が潰れる。これにより、図６に見られるようにリブ１６同士が一箇所に纏められる。リブ１６が一旦纏められたら、リブ１６の端部１８同士がリブ１６の端部近くでベルクロ（登録商標）締め帯３３で固定される。ベルクロ（登録商標）締め帯３４はまた、リブ１６の中央部３４同士を固定してテント１０の折りたたみを助けるのに用いられる。次いで、崩壊テント１０を地面に置き、リブ１６の端部１８をリブ１６の周りの１／３のところで、テント１０の反対側に位置付けられた解放自在のクリップ３５で留める。崩壊テント１０は図６に見られるように二つのループ３７となって、これ等を一緒にし、引っ張り締め帯３８を用いて二つのループ３６を一緒にする。テントは他の実施態様におけると同様、バッグに直ちに収納可能である。
リブ１６の他の配置を図８に示す。ここではリブ１６が種々の異なる形式の対で示されている。
以上は本発明の実施態様の幾つかを記載したに過ぎず、当業者に自明な修正が本発明の範囲を逸脱せず可能である。
【図面の簡単な説明】
【図１】
本発明の一実施態様によるテントをその立設形態で示した側面図である。
【図２】
図１のテントにフライシートを付加したものの一端図である。
【図３】
図１のテントをその立設形態で示した端部図である。
【図４】
図１のテントにフライシートを付加したものの他の一端図である。
【図５】
図１のテントを折りたたみ中の崩壊形態で示した一連の概略図である。
【図６】
他の実施態様のテントを折りたたみ中の崩壊形態で示した一連の概略図である。
【図７】
図１のテントが崩壊及び折りたたみ後に、バッグに詰め込まれるところ示す図である。
【図８】
リブの他の配置を示す一連の概略図である。
【国際公開パンフレット】
2004503701.tif 000003
2004503701.tif 000004
2004503701.tif 000005
2004503701.tif 000006
2004503701.tif 000007
2004503701.tif 000008
2004503701.tif 000009
2004503701.tif 000010
2004503701.tif 000011
2004503701.tif 000012
2004503701.tif 000013
2004503701.tif 000014
2004503701.tif 000015
2004503701.tif 000016
2004503701.tif 000017
2004503701.tif 000018
2004503701.tif 000019
2004503701.tif 000020
2004503701.tif 000021
2004503701.tif 000022
2004503701.tif 000023
【国際調査報告】
2004503701.tif 000024
2004503701.tif 000025
2004503701.tif 000026